Podtech/llm-jp-corpus-v4-ja_patent huggingface dataset:
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
遊技者にとって有利度が異なる複数の設定値のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数種類の演出態様のうちいずれかの演出態様により所定演出を実行可能な所定演出実行手段と、を備え、
前記所定演出の演出態様は、前記有利状態に制御されることの示唆を行う特別態様と、設定に関する示唆を行う特定態様と、を含み、
前記特別態様は、第１特別態様と、該第１特別態様よりも前記有利状態に制御される割合が高いことを示唆する第２特別態様と、を含み、
前記所定演出実行手段は、
前記第２特別態様の所定演出と前記特定態様の所定演出とのいずれも実行可能な場合に、前記第２特別態様の所定演出を前記特定態様の所定演出よりも優先して実行し、
前記第１特別態様の所定演出と前記特定態様の所定演出とのいずれも実行可能な場合に、前記特定態様の所定演出を前記第１特別態様の所定演出よりも優先して実行可能であり、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴とする遊技機。
【手続補正２】
【補正対象書類名】明細書
【補正対象項目名】０００６
【補正方法】変更
【補正の内容】
【０００６】
手段１の遊技機は、
識別情報の可変表示を行い、遊技者にとって有利な有利状態（例えば、大当り遊技状態）に制御可能な遊技機（例えば、パチンコ遊技機１）であって、
遊技者にとって有利度が異なる複数の設定値（例えば、設定値１〜６）のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数種類の演出態様のうちいずれかの演出態様により所定演出を実行可能な所定演出実行手段（例えば、演出制御用ＣＰＵ１２０が、可変表示中演出として、パターンＰＴ−１〜ＰＴ−７のいずれかに基づく設定示唆、またはパターンＰＴ−８やＰＴ−９に基づくリーチ予告を実行可能な部分）と、を備え、
前記所定演出の演出態様は、前記有利状態に制御されることの示唆を行う特別態様（例えば、特別パターンであるパターンＰＴ−８またはパターンＰＴ−９に基づくリーチ予告）と、設定に関する示唆を行う特定態様（例えば、特定パターンであるパターンＰＴ−１〜ＰＴ−７のいずれかに基づく設定示唆）と、を含み、
前記特別態様は、第１特別態様（例えば、リーチ予告（低））と、該第１特別態様よりも前記有利状態に制御される割合が高いことを示唆する第２特別態様（例えば、リーチ予告（高））と、を含み、
前記所定演出実行手段は、
前記第２特別態様の所定演出と前記特定態様の所定演出とのいずれも実行可能な場合に、前記第２特別態様の所定演出を前記特定態様の所定演出よりも優先して実行し（例えば、演出制御用ＣＰＵ１２０が、実施例１の図８−１５に示す可変表示中演出決定処理において、リーチ予告の抽選においてパターンＰＴ−９が当選した場合、１０３ＳＧＳ２９４においてパターンＰＴ−９に基づくリーチ予告（高）の実行を、パターンＰＴ−１〜パターンＰＴ−７のいずれかに基づく設定示唆よりも優先して決定する部分）、
前記第１特別態様の所定演出と前記特定態様の所定演出とのいずれも実行可能な場合に、前記特定態様の所定演出を前記第１特別態様の所定演出よりも優先して実行可能であり（例えば、演出制御用ＣＰＵ１２０が、実施例１の図８−１５に示す可変表示中演出決定処理において、設定示唆の抽選においてパターンＰＴ−５〜ＰＴ−７のいずれかが当選した場合、１０３ＳＧＳ２９８においてパターンＰＴ−５〜ＰＴ−７のいずれかに基づく設定示唆（高）の実行をパターンＰＴ−８に基づくリーチ予告（低）よりも優先して決定する部分）、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴としている。
この特徴によれば、過度に特定態様の所定演出の実行が制限されることによって、所定演出による興趣が低下してしまうことを防ぐことができる。
【誤訳訂正書】
【提出日】令和2年6月26日(2020.6.26)
【誤訳訂正１】
【訂正対象書類名】特許請求の範囲
【訂正対象項目名】全文
【訂正方法】変更
【訂正の内容】
【特許請求の範囲】
【請求項１】
フットウェアアセンブリであって：
トウボックス部、内甲側面部、外甲側面部、およびヒール部を含み、前記内甲側面部および前記外甲側面部がそれぞれ、前記トウボックス部から前記ヒール部まで近位に延びる、フットウェアアッパーと；
前記トウボックスに近接する前記アッパーの前記内甲側面部に固定された、内甲側張力部材と；
前記トウボックスに近接する前記アッパーの前記外甲側面部に固定された、外甲側張力部材と；
前記内甲側張力部材に取り付けられた第１の端部と、前記外甲側張力部材に取り付けられた第２の端部と、を備えるレースケーブルと；
前記内甲側面部および前記外甲側面部に沿って分配配置された複数のレースガイドであって、当該複数のレースガイドの各レースガイドが、前記レースケーブルの部分を受け入れるようになっており、前記レースケーブルが、前記複数のレースガイドの各々を通って、前記フットウェアアッパーの前記内甲および外甲側面部の各々に沿ってパターンを形成する、レースガイドと、
を含み、
前記内甲側および外甲側張力部材の各々が：
ロックアウトゾーンと；
ストレッチゾーンと、
を含み、
前記ロックアウトゾーンが前記レースケーブルに連結され、前記ストレッチゾーンが前記フットウェアアッパーに連結されており、
前記ロックアウトゾーンは、前記ストレッチゾーンよりも、弾性又は伸縮性が低い、フットウェアアセンブリ。
【請求項２】
前記フットウェアアッパーが、当該フットウェアアッパーの前記内甲側面部と前記外甲側面部とを前記フットウェアアッパーのスロート領域に沿って連結する弾性部材をさらに備える、請求項１に記載のフットウェアアセンブリ。
【請求項３】
前記内甲側および外甲側張力部材がそれぞれ、前記フットウェアアッパーの前記内甲および外甲側面部のそれぞれに対して少なくとも部分的に浮いている、請求項１に記載のフットウェアアセンブリ。
【請求項４】
前記ストレッチゾーンの下端が前記フットウェアアッパーに連結されている、請求項１に記載のフットウェアアセンブリ。
【請求項５】
前記ロックアウトゾーンが前記フットウェアアッパーに対して完全に浮いている、請求項１に記載のフットウェアアセンブリ。
【請求項６】
前記ロックアウトゾーンが伸び抑制コーティングを含む、請求項１に記載のフットウェアアセンブリ。
【請求項７】
前記ロックアウトゾーンおよび前記ストレッチゾーンが、材料の連続シートから構成されている、請求項１に記載のフットウェアアセンブリ。
【請求項８】
前記レースケーブルの前記第１および第２の端部が、前記ロックアウトゾーンにおいて、前記内甲側および外甲側張力部材に縫合されている、請求項１に記載のフットウェアアセンブリ。
【請求項９】
前記レースケーブルが：
前記フットウェアアッパーの前記内甲側面部および前記レースケーブルの前記第１の端部に連結される第１の近位部分と；
前記フットウェアアッパーの前記外甲側面部および前記レースケーブルの前記第２の端部に連結される第２の近位部分と；をさらに含み、
前記レースケーブルの前記第１の端部が前記内甲側張力部材に連結され、前記レースケーブルの前記第２の端部が前記外甲側張力部材に連結されている、請求項１に記載のフットウェアアセンブリ。
【請求項１０】
前記レースケーブルは、前記内甲側面部と前記外甲側面部との間の中心線上を延在していない、請求項９に記載のフットウェアアセンブリ。
【請求項１１】
前記レースケーブルの前記第１の端部および前記第２の端部が、前記フットウェアアッパーのスロート領域を横切っている、請求項１に記載のフットウェアアセンブリ。
【請求項１２】
前記レースケーブルを、前記複数のレースガイドの内甲側部分によって形成される前記パターンから、当該レースケーブルがミッドソール内に配置されたレーシングエンジンに係合できる位置にルーティングする、内甲側近位レースガイドと；
前記レースケーブルを、当該レースケーブルが前記レーシングエンジンに係合できる位置から、前記複数のレースガイドの外甲側部分によって形成される前記パターンにルーティングする、外側近位レースガイドと、をさらに含む、請求項１に記載のフットウェアアセンブリ。
【請求項１３】
前記レーシングエンジンは、電動式である、請求項１２に記載のフットウェアアセンブリ。
【請求項１４】
前記レーシングエンジンは、スプールを含む、請求項１２又は１３に記載のフットウェアアセンブリ。
【誤訳訂正２】
【訂正対象書類名】明細書
【訂正対象項目名】００８９
【訂正方法】変更
【訂正の内容】
【００８９】
ロックアウト領域１２４０は、ストレッチ領域１２４２から上端領域１２２４に延び得る。ロックアウト領域１２４０は、ストレッチ領域１２４２の最上部の全体にわたって横方向に延び得る。ロックアウト領域１２４０は、ストレッチ領域１２４２よりも弾性が低く、又は伸縮性が低い、テンションストラップ１２０２の一部を含み得る。一例では、ロックアウト領域１２４０は、ストレッチ領域１２４２の材料に取り付けられた個別の材料を含み得る。別の実施形態では、ロックアウト領域１２４０は、該ロックアウト領域１２４０内にある材料を強化するように処理された、ストレッチ領域１２４２の材料の延長である。例えば、レース１２１４の長さＬに沿うステッチ１２２６は、強化処理を提供し得る。一例では、長さＬは、約１５ミリメートルであり得る。加えて、あるいは代替的に、ロックアウト領域１２４０は、ホットメルト材料で処理されて、遠位端部１２１６Ａを固定し、ロックアウト領域１２４０を強化することができる。別の実施形態では、ロックアウト領域１２４０は、Ｔｅｒｒａｎｉｎａなどの伸び抑制コーティングで処理されて、張力ストラップ１２０２のロックアウト機能を向上させることができる。ロックアウト機能は、レース１２１４を引き締めるために、伸びない特性をいう。すなわち、完全にロックアウトされたレースは、レースが締められる量に比例して足の締め付けが増加する。換言すれば、レースは、もはや伸びることができない。ロックアウト領域１２４０のロックアウト機能およびストレッチ領域１２４２の伸縮機能は、張力ストラップ１２０２の異なる実施形態に対して異なる組合せで変化させることができる。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
標的血管の血管壁に近接するあるボリュームの組織にアブレーション流体を送達するための血管内神経アブレーションシステムであって、
近位端、遠位端、長手方向に延びる中心軸、および流体注入内腔を有するカテーテル本体と、
少なくとも第一のガイドチューブおよび第二のガイドチューブであって、各ガイドチューブは、遠位端、内腔、および軸と揃った第一の位置と第二の位置との間で外向きに拡張可能な遠位部分とを有する、少なくとも第一のガイドチューブおよび第二のガイドチューブと、
少なくとも第一のインジェクタチューブと第二のインジェクタチューブであって、各インジェクタチューブはアブレーション流体を送達するための経路を提供する注入内腔を有しており、第一のインジェクタチューブおよび第二のインジェクタチューブは第一のガイドチューブおよび第二のガイドチューブの内腔の内部にそれぞれ同軸に配置されており、各インジェクタチューブはその遠位端に射出出口を備えた注射ニードルを有しており、各インジェクタチューブは第一および第二のガイドチューブの内腔内を遠位方向および近位方向にスライドするように構成されている、少なくとも第一のインジェクタチューブおよび第二のインジェクタチューブと、
を備え、
前記第一のインジェクタチューブおよび第二のインジェクタチューブの少なくとも一方のインジェクタチューブの注入内腔は、構造を含む、血管内神経アブレーションシステム。
【請求項２】
前記構造は、容積占有構造を含む、請求項１に記載の血管内神経アブレーションシステム。
【請求項３】
前記容積占有構造は、内部流体容積を減少するように構成されたワイヤーを含む、請求項２に記載の血管内神経アブレーションシステム。
【請求項４】
前記ワイヤーは、Ｘ線透視下でのそれぞれのインジェクタチューブの視覚化を高めるために、放射線不透過性材料から形成されている、請求項３に記載の血管内神経アブレーションシステム。
【請求項５】
前記構造は、蛍光透視下でそれぞれのインジェクタチューブの視認性を高めるように構成されている、請求項１に記載の血管内神経アブレーションシステム。
【請求項６】
前記構造の少なくとも一部は、放射線不透過性材料を含む、請求項５に記載の血管内神経アブレーションシステム。
【請求項７】
前記放射線不透過性材料は、タンタル、プラチナ、および金のうちの少なくとも１つを含む、請求項６に記載の血管内神経アブレーションシステム。
【請求項８】
前記第一のインジェクタチューブおよび第二のインジェクタチューブのうちの少なくとも一方は、放射線不透過性のバンド、リング、賦形剤、インサート、プラグ、およびメッキのうちの少なくとも一つを含む、請求項１に記載の血管内神経アブレーションシステム。
【請求項９】
前記標的血管の血管壁へのインジェクタチューブの貫通深さは制限されている請求項１記載の血管内神経アブレーションシステム。
【請求項１０】
前記第一のインジェクタチューブおよび第二のインジェクタチューブの遠位および近位の動きのために構成された制御器をさらに備える請求項１に記載の血管内神経アブレーションシステム。
【請求項１１】
前記第一のガイドチューブおよび第二のガイドチューブの遠位および近位の動きのために構成された制御器をさらに備える請求項１に記載の血管内神経アブレーションシステム。
【請求項１２】
前記第一のインジェクタチューブおよび第二のインジェクタチューブはそれぞれ、前記第一のガイドチューブおよび第二のガイドチューブの前記内腔の内部に同軸に配置される、請求項１に記載の血管内神経アブレーションシステム。
【請求項１３】
前記第一のインジェクタチューブおよび前記第二のインジェクタチューブは、半径方向外向きに動くようにさらに構成されて前記第一のガイドチューブおよび第二のガイドチューブに対して、ある深さに各注入出口を位置づけする、請求項１に記載の血管内神経アブレーションシステム。
【請求項１４】
少なくとも第一のガイドチューブ、第二のガイドチューブ、および第３のガイドチューブは、少なくとも第一のインジェクタチューブ、第二のインジェクタチューブ、第二のインジェクタチューブを含む請求項１に記載の血管内神経アブレーションシステム。
【請求項１５】
標的血管の血管壁への少なくとも第一のインジェクタチューブおよび第二のインジェクタチューブの貫通深さを制限するための貫通深さ制限機構を含む、請求項１に記載の血管内神経アブレーションシステム。
【請求項１６】
少なくとも第一のガイドチューブおよび第二のガイドチューブに対する少なくとも第一のインジェクタチューブおよび第二のインジェクタチューブの動きを防止するためのコンポーネントをさらに含む、請求項１に記載の血管内神経アブレーションシステム。
【請求項１７】
前記カテーテル本体の近位端の近くに配置されたハンドルをさらに含み、少なくとも第一のインジェクタチューブのおよび第二のインジェクタチューブの動きを防止するためのコンポーネントは前記ハンドルと一体である、請求項１６に記載の血管内神経アブレーションシステム。
【請求項１８】
近位制御部分の近位ポートの近位端から、少なくとも第一のインジェクタチューブおよび第二のインジェクタチューブの遠位端における注入出口までの内部流体容積をさらに含み、内部流体容積は０．５ｍｌ未満である、請求項１に記載の血管内神経アブレーションシステム。
【請求項１９】
流体送達カテーテルの内部流体容積は、０．２ｍｌ未満である、請求項１８に記載の血管内神経アブレーションシステム。
【請求項２０】
流体送達カテーテルの内部流体容積は、０．１ｍｌ未満である、請求項１８に記載の血管内神経アブレーションシステム。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
サブフレームｎにおいて、第１の値を伴う第１のパラメータを基地局から受信することおよび、第２のパラメータを前記基地局から受信することを備え、
前記第１のパラメータは、免許不要のスペクトル内の複数のサブフレームの各々におけるＰＵＳＣＨ（Physical Uplink Shared Channel）送信をスケジューリングするための第１のＤＣＩ（Downlink Control Information）フォーマットであって、ＤＣＩフォーマット１Ｃとは異なる前記第１のＤＣＩフォーマットで受信され、
前記第２のパラメータは、前記ＤＣＩフォーマット１Ｃで受信され、
前記サブフレームｎからのオフセットが予め決められた値に等しいか、又は、前記基地局によって決定されたオフセット値であるかは、前記第１の値に基づき、
前記ＰＵＳＣＨ送信のサブフレーム単位での持続期間は、前記第２のパラメータに基づいて決定され、
前記オフセットおよび前記持続期間に基づいて、前記ＰＵＳＣＨ送信を実行すること、
を備え、ユーザ機器によって実行される方法。
【請求項２】
前記ＰＵＳＣＨ送信は、前記免許不要のスペクトル上のチャネルにアクセスするためのチャネルアクセス手順上で調整される、請求項１に記載の方法。
【請求項３】
前記ＰＵＳＣＨ送信は、サブフレームのシンボル内で開始する、請求項１または２に記載の方法。
【請求項４】
前記ＰＵＳＣＨ送信は、１つ以上の連続するサブフレームを占有する、請求項１乃至３のいずれか１つに記載の方法。
【請求項５】
サブフレームｎにおいて、第１の値を伴う第１のパラメータをユーザ機器に送信することおよび、第２のパラメータを前記ユーザ機器に送信することを備え、
前記第１のパラメータは、免許不要のスペクトル内の複数のサブフレームの各々におけるＰＵＳＣＨ（Physical Uplink Shared Channel）送信をスケジューリングするための第１のＤＣＩ（Downlink Control Information）フォーマットであって、ＤＣＩフォーマット１Ｃとは異なる前記第１のＤＣＩフォーマットで送信され、
前記第２のパラメータは、前記ＤＣＩフォーマット１Ｃで送信され、
前記サブフレームｎからのオフセットが予め決められた値に等しいか、又は、基地局によって決定されたオフセット値であるかは、前記第１の値に基づき、
前記ＰＵＳＣＨ送信のサブフレーム単位での持続期間は、前記第２のパラメータに基づいて決定され、
前記オフセットおよび前記持続期間に基づいて、前記ＰＵＳＣＨ送信を受信すること、
を備え、基地局によって実行される方法。
【請求項６】
前記ＰＵＳＣＨ送信は、前記免許不要のスペクトル上のチャネルにアクセスするためのチャネルアクセス手順上で調整される、請求項５に記載の方法。
【請求項７】
前記ＰＵＳＣＨ送信は、サブフレームのシンボル内で開始する、
請求項５または６に記載の方法。
【請求項８】
前記ＰＵＳＣＨ送信は、１つ以上の連続するサブフレームを占有する、請求項５乃至７のいずれか１つに記載の方法。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
遊技領域を視認可能な視認窓が形成された枠体と、
画像を表示可能な画像表示手段と、を備えた
遊技機において、
前記枠体は、前記視認窓の周囲の少なくとも一部に、換装可能な換装可能部を有し、
前記換装可能部は、正面視で前記視認窓と重なる重なり部を有する
ことを特徴とする遊技機。
【請求項２】
前記画像表示手段に表示される画像に所定変形処理を行う特定演出を実行する演出実行手段を備えた
ことを特徴とする請求項１に記載の遊技機。
【手続補正２】
【補正対象書類名】明細書
【補正対象項目名】０００２
【補正方法】変更
【補正の内容】
【０００２】
パチンコ機は、島設備に装着可能な外枠と、この外枠の前側に開閉可能に装着され且つ遊技盤が装着された前枠と、前枠の前側に開閉可能に装着され且つ遊技盤の遊技領域を視認可能な視認窓を有する前扉とで構成される枠体を備え、遊技盤に画像表示手段を備えたものがある（特許文献１）。また枠体の前側には、その機種に関連する任意の装飾が施されており、例えば画像表示手段による画像演出と同期して任意のパターンで発光する発光演出を実行可能となっている。
【手続補正３】
【補正対象書類名】明細書
【補正対象項目名】０００３
【補正方法】変更
【補正の内容】
【０００３】
【特許文献１】特開２０１５−１９２８９９号
【手続補正４】
【補正対象書類名】明細書
【補正対象項目名】０００４
【補正方法】変更
【補正の内容】
【０００４】
本発明は、枠体側と画像表示手段側とを含めた演出をより好適に行うことが可能な遊技機を提供することを目的とする。
【手続補正５】
【補正対象書類名】明細書
【補正対象項目名】０００５
【補正方法】変更
【補正の内容】
【０００５】
本発明は、遊技領域を視認可能な視認窓が形成された枠体と、画像を表示可能な画像表示手段と、を備えた遊技機において、前記枠体は、前記視認窓の周囲の少なくとも一部に、換装可能な換装可能部を有し、前記換装可能部は、正面視で前記視認窓と重なる重なり部を有するものである。
前記画像表示手段に表示される画像に所定変形処理を行う特定演出を実行する演出実行手段を備えたものでもよい。
【手続補正６】
【補正対象書類名】明細書
【補正対象項目名】０００６
【補正方法】変更
【補正の内容】
【０００６】
本発明によれば、枠体側と画像表示手段側とを含めた演出をより好適に行うことが可能である。
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行い、該抽選の結果に基づいて利益を付与する遊技機であって、
前記抽選の結果に関する演出実行中に発光可能な発光部が実装されるとともに、反射効果を向上させうる白色の反射向上領域が基板面に設けられた発光装飾基板を備え、
前記発光装飾基板として、前方発光装飾基板と、該前方発光装飾基板よりも後方に配置される後方発光装飾基板とを有し、
前記反射向上領域は、少なくとも前記後方発光装飾基板の面部のうちの前記発光部が実装される表面部と、該表面部に相対する面であって前記前方発光装飾基板の面部のうちの前記発光部が実装されない裏面部とに設けられ、
さらに、前記前方発光装飾基板の裏面部側には、透光性を有する透光部材が設けられ、
前記透光部材は、前記前方発光装飾基板の裏面部側に該前方発光装飾基板に対して固定されるものであり、さらに、前記前方発光装飾基板の裏面部の縁よりも外側に延出する延出透光部位を有しており、
該延出透光部位は、前記後方発光装飾基板の前記発光部からの光を透光させうるように、前記後方発光装飾基板の前方に位置しうる
ことを特徴とする遊技機。
【手続補正２】
【補正対象書類名】明細書
【補正対象項目名】０００５
【補正方法】変更
【補正の内容】
【０００５】
しかしながら、従来と同等の構成では、遊技者の興趣を低下させてしまう虞があった。
【手続補正３】
【補正対象書類名】明細書
【補正対象項目名】０００７
【補正方法】変更
【補正の内容】
【０００７】
そこで、本発明は、興趣の低下を抑制させることが可能な遊技機を提供することを目的とするものである。
【手続補正４】
【補正対象書類名】明細書
【補正対象項目名】０００８
【補正方法】変更
【補正の内容】
【０００８】
本発明は、
所定条件の成立に基づいて抽選を行い、該抽選の結果に基づいて利益を付与する遊技機であって、
前記抽選の結果に関する演出実行中に発光可能な発光部が実装されるとともに、反射効果を向上させうる白色の反射向上領域が基板面に設けられた発光装飾基板を備え、
前記発光装飾基板として、前方発光装飾基板と、該前方発光装飾基板よりも後方に配置される後方発光装飾基板とを有し、
前記反射向上領域は、少なくとも前記後方発光装飾基板の面部のうちの前記発光部が実装される表面部と、該表面部に相対する面であって前記前方発光装飾基板の面部のうちの前記発光部が実装されない裏面部とに設けられ、
さらに、前記前方発光装飾基板の裏面部側には、透光性を有する透光部材が設けられ、
前記透光部材は、前記前方発光装飾基板の裏面部側に該前方発光装飾基板に対して固定されるものであり、さらに、前記前方発光装飾基板の裏面部の縁よりも外側に延出する延出透光部位を有しており、
該延出透光部位は、前記後方発光装飾基板の前記発光部からの光を透光させうるように、前記後方発光装飾基板の前方に位置しうる
ことを特徴とする。
また、本発明とは別の発明として、以下の手段を参考的に開示する。
手段１：遊技機において、
「遊技者の操作によって遊技媒体が打込まれる遊技領域と、
正面視該遊技領域内に配置されており外面に装飾が施されている装飾部材、及び該装飾部材の下端における重心に対して偏芯した部位から所定長さで下方に突出している支持軸を有している装飾ユニットと、
該装飾ユニットの前記支持軸の上端部と下端部とを夫々回転可能に支持している上軸受部及び下軸受部を有している回転駆動ユニットベース、及び該回転駆動ユニットベースに取付けられており、前記遊技領域内に遊技媒体が打込まれることで変化する遊技状態に応じて前記支持軸を回転させる駆動モータを有している回転駆動ユニットと
を具備している」ことを特徴とする遊技機。
【手続補正５】
【補正対象書類名】明細書
【補正対象項目名】００８０
【補正方法】変更
【補正の内容】
【００８０】
このように、本発明によれば、興趣の低下を抑制させることが可能な遊技機を提供することができる。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
パラメータによって定義されるプレイ媒体を通じてプレイされ、ゲーム結果に応じて前記パラメータの内容が変化するゲームを提供するゲームシステムであって、
プレイヤにより提示される記録媒体から、前記パラメータの内容と、各プレイヤを特定するためのプレイヤ識別情報とを含む再現用情報を取得する取得手段と、
前記再現用情報に含まれる前記パラメータの内容に基づいて前記プレイ媒体を再現する媒体再現手段と、
前記再現用情報に含まれる前記プレイヤ識別情報に基づいて各プレイヤに固有のゲーム環境を提供する環境提供手段と、を備える、
ゲームシステム。
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
管と、弾性ポリマー製フランジと、プッシュロッドとを含むガイド・カテーテル拡張具であって、
前記管は、近位端、遠位端、内腔、内径、外径、長軸、及び、テーパ付きエッジを有するスカイブド・カラー・トランジション・セクションを有し；前記スカイブド・カラー・トランジション・セクションは、前記管の近位端に位置し；
前記管は、断続螺旋カット・パターンを有する第１セクションを有し、前記断続螺旋カット・パターンは、前記第１セクションの長さに沿って可変のピッチを有し；
前記弾性ポリマー製フランジは、前記スカイブド・カラー・トランジション・セクションの前記テーパ付きエッジに沿って延在しており；及び
前記プッシュロッドは、近位端及び遠位端を有し、前記プッシュロッドの遠位端は、接合部において前記管の近位端に取り付けられている、
該ガイド・カテーテル拡張具。
【請求項２】
前記ピッチは、前記第１セクションの近位端から遠位端に向けて減少し、これにより、前記近位端から前記遠位端に向けて増加する柔軟性を提供する、請求項１に記載のガイド・カテーテル拡張具。
【請求項３】
前記管の外径が、前記管の近位端から遠位端へ先細りになる、請求項１に記載のガイド・カテーテル拡張具。
【請求項４】
前記プッシュロッドが、管状である、請求項１に記載のガイド・カテーテル拡張具。
【請求項５】
前記プッシュロッドの遠位端が、平坦な輪郭を有する、請求項３に記載のガイド・カテーテル拡張具。
【請求項６】
前記プッシュロッドが、前記接合部において結合している、請求項５に記載のガイド・カテーテル拡張具。
【請求項７】
前記管の遠位端に位置するチップをさらに備え、前記チップが近位端及び遠位端を有する、請求項１に記載のガイド・カテーテル拡張具。
【請求項８】
前記チップの遠位端が、内面に内方屈曲カーブを有する、請求項７に記載のガイド・カテーテル拡張具。
【請求項９】
前記チップにＸ線不透過性材料が埋め込まれている、請求項８に記載のガイド・カテーテル拡張具。
【請求項１０】
前記管の外径上に少なくとも部分的に配置された外側ジャケットをさらに備える、請求項１に記載のガイド・カテーテル拡張具。
【請求項１１】
前記外側ジャケットが、ポリマー材料から形成される、請求項１０に記載のガイド・カテーテル拡張具。
【請求項１２】
前記内腔内に少なくとも部分的に配置された内側ライナをさらに備える、請求項１１に記載のガイド・カテーテル拡張具。
【請求項１３】
管と、プッシュロッドと、ポリマー製シーラとを含むガイド・カテーテル拡張具であって、
前記管は、近位端、遠位端、内腔、及び、前記内腔の近位開口を有し、前記管は、異なるカット・パターンを有する複数のセクションを含み、前記管の遠位端は、前記管の近位端より柔軟であり；
前記プッシュロッドは、近位端及び遠位端を有し、前記プッシュロッドの遠位端は、接合部において前記管の近位端に取り付けられており；及び
前記ポリマー製シーラは、前記管の外径に取り付けられており、前記シーラの少なくとも一部は、前記管の外径よりも大きな直径を有し、前記シーラは、前記内腔の近位開口よりも遠位に位置している、
該ガイド・カテーテル拡張具。
【請求項１４】
前記シーラが、その外面から延在し、円周方向に巻かれた拡張部品又はフィンを含む、請求項１３に記載のガイド・カテーテル拡張具。
【請求項１５】
前記シーラが、その外面から延在し、前記管の周りに螺旋状に巻かれた拡張部品又はフィンを含む、請求項１３に記載のガイド・カテーテル拡張具。
【請求項１６】
管と、プッシュロッドと、Ｘ線不透過性チップとを含むガイド・カテーテル拡張具であって、
前記管は、近位端、遠位端、長軸、前記近位端に位置するトランジション・セクションを有し、前記トランジション・セクションは、前記管の長軸に対して実質的に鉛直に存在する開口を有し；
前記管は、異なるカット・パターンを有する複数のセクションをさらに含み、各セクションは互いに異なる柔軟性を有し、及び、前記管は、前記近位端から前記遠位端に向けて増加する柔軟性を有し；
前記プッシュロッドは、近位端及び遠位端を有し、前記プッシュロッドの遠位端は、接合部において前記管の近位端に取り付けられており、及び
前記Ｘ線不透過性チップは、前記管の遠位端に位置しており、前記チップは近位端及び遠位端を有し、前記チップの遠位端は、内面に内方屈曲カーブを有する、
該ガイド・カテーテル拡張具。
【請求項１７】
前記フランジが、前記管に付着されている、請求項１に記載のガイド・カテーテル拡張具。
【請求項１８】
前記フランジが、前記外側ジャケットの拡張部分である、請求項１０に記載のガイド・カテーテル拡張具。
【請求項１９】
前記フランジが、前記内側ライナの拡張部分である、請求項１２に記載のガイド・カテーテル拡張具。
【請求項２０】
前記内腔の近位開口が、前記内腔の長軸に対して実質的に鉛直に存在する、請求項１３に記載のガイド・カテーテル拡張具。
【請求項２１】
前記管が、スカイブド・カラー・トランジション・セクションを含む、請求項１３に記載のガイド・カテーテル拡張具。
【請求項２２】
各セクションが異なるピッチのカット・パターンを有する、請求項１３に記載のガイド・カテーテル拡張具。
【請求項２３】
前記各セクションのピッチが、０．１ｍｍから０．２ｍｍの範囲である、請求項２２に記載のガイド・カテーテル拡張具。
【請求項２４】
前記各セクションのピッチが、０．１ｍｍから０．３ｍｍの範囲である、請求項２２に記載のガイド・カテーテル拡張具。
【請求項２５】
前記各セクションのピッチが、０．１ｍｍから０．５ｍｍの範囲である、請求項２２に記載のガイド・カテーテル拡張具。
【請求項２６】
前記各セクションのピッチが、０．０５ｍｍから１０ｍｍの範囲である、請求項２２に記載のガイド・カテーテル拡張具。
【手続補正２】
【補正対象書類名】図面
【補正対象項目名】図１Ａ
【補正方法】変更
【補正の内容】
【図１Ａ】
2020039950.tif 000001
【手続補正３】
【補正対象書類名】図面
【補正対象項目名】図１Ｂ
【補正方法】変更
【補正の内容】
【図１Ｂ】
2020039950.tif 000002
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
ＯＣＴ光学系を用いて被検眼の断層画像を形成する画像形成手段と、
前記ＯＣＴ光学系における測定光路に配置され、前記被検眼の眼底において測定光を走査する走査手段と、
前記測定光路に配置され、前記走査手段からの前記測定光を前記被検眼に照射するための対物光学系と、
前記被検眼の眼底画像を取得するための眼底撮像用の光学系であって、前記対物光学系を共通とする前記眼底撮像用の光学系と、
前記ＯＣＴ光学系に関する自動フォーカス調整における粗調整の後に前記測定光と参照光との光路長差の自動調整を開始させ、前記ＯＣＴ光学系に関する自動フォーカス調整における微調整と前記光路長差の自動調整とを並行して実行中に、前記眼底撮像用の光学系に関する自動フォーカス調整の後に取得された異なる時間における前記被検眼の複数の眼底画像に基づいて前記走査手段を制御する眼底トラッキングを行う制御手段と、
を備える眼科撮影装置。
【請求項２】
前記ＯＣＴ光学系に関する自動フォーカス調整の完了は、前記微調整の完了であり、
前記粗調整が完了しなければ前記微調整が完了されない請求項１に記載の眼科撮影装置。
【請求項３】
前記ＯＣＴ光学系に関する自動フォーカス調整は、前記ＯＣＴ光学系に配置されたＯＣＴフォーカス用光学部材を用いた自動フォーカス調整であり、
前記微調整の方が前記粗調整よりも、前記ＯＣＴフォーカス用光学部材の移動範囲であるフォーカス範囲が狭い請求項１又は２に記載の眼科撮影装置。
【請求項４】
前記粗調整の結果に基づいて前記微調整の前記フォーカス範囲を決定する決定手段を更に備える請求項３に記載の眼科撮影装置。
【請求項５】
前記ＯＣＴ光学系に関する自動フォーカス調整は、前記ＯＣＴ光学系に配置されたＯＣＴフォーカス用光学部材を用いた自動フォーカス調整であり、
前記微調整の方が前記粗調整よりも、前記ＯＣＴフォーカス用光学部材の移動量であるフォーカス間隔が短い請求項１乃至４のいずれか１項に記載の眼科撮影装置。
【請求項６】
前記制御手段は、前記光路長差の自動調整における粗調整の後に、前記光路長差の自動調整における微調整を開始し、前記光路長差の自動調整における微調整の後に、前記眼底トラッキングの実行中において前記参照光の強度と偏光状態との調整を実行する請求項１乃至５のいずれか１項に記載の眼科撮影装置。
【請求項７】
前記眼底撮像用の光学系は、ＳＬＯ光学系であり、
前記眼底撮像用の光学系に関する自動フォーカス調整は、前記ＳＬＯ光学系に配置されたＳＬＯフォーカス用光学部材を用いた自動フォーカス調整であり、
前記制御手段は、前記ＳＬＯ光学系により取得されたＳＬＯ情報に基づいて、前記ＳＬＯフォーカス用光学部材を用いた自動フォーカス調整及び前記ＯＣＴ光学系に関する自動フォーカス調整を実行する請求項１乃至６のいずれか１項に記載の眼科撮影装置。
【請求項８】
前記制御手段は、前記ＳＬＯフォーカス用光学部材を用いた自動フォーカス調整に連動させて前記ＯＣＴ光学系に関する自動フォーカス調整を実行する請求項７に記載の眼科撮影装置。
【請求項９】
前記対物光学系と前記走査手段とを備える撮像部と、
前記撮像部と前記被検眼の前眼部との相対位置を検出し、前記複数の眼底画像に基づいて前記眼底の位置ずれを検出する検出手段と、を更に備え、
前記眼底トラッキングは、前記検出された位置ずれに基づいて前記走査手段を制御し、前記制御手段は、前記眼底撮像用の光学系に関する自動フォーカス調整と前記ＯＣＴ光学系に関する自動フォーカス調整と前記光路長差の自動調整との少なくともいずれかの調整の実行中に、前記検出手段による検出結果に基づいて前記撮像部と前記前眼部との相対的な位置関係を調整する前眼部トラッキングを行い、
前記前眼部トラッキングの実行中に前記眼底トラッキングを行う請求項１乃至８のいずれか１項に記載の眼科撮影装置。
【請求項１０】
前記前眼部トラッキングの開始後に前記眼底撮像用の光学系に関する自動フォーカス調整を開始し、前記眼底撮像用の光学系に関する自動フォーカス調整の後に前記眼底トラッキングを開始する請求項９に記載の眼科撮影装置。
【請求項１１】
前記撮像部は、前記前眼部の画像を取得するための前眼部撮像用の光学系を更に備え、前記検出手段は、前記前眼部の画像に基づいて前記相対位置を検出する請求項９又は１０に記載の眼科撮影装置。
【請求項１２】
ＯＣＴ光学系を用いて被検眼の断層画像を形成する画像形成手段と、
前記ＯＣＴ光学系に関する第１の動作である自動フォーカス調整が完了する前に、前記第１の動作の途中において前記ＯＣＴ光学系に関する第２の動作である測定光と参照光との光路長差の自動調整を開始させ、前記第１の動作と前記第２の動作とを並行して実行させる制御手段と、
を備える眼科撮影装置。
【請求項１３】
ＯＣＴ光学系を用いて被検眼の断層画像を形成する画像形成手段と、
前記ＯＣＴ光学系における測定光路に配置され、前記被検眼の眼底において測定光を走査する走査手段と、
前記測定光路に配置され、前記走査手段からの前記測定光を前記被検眼に照射するための対物光学系と、
前記被検眼の眼底画像を取得するための眼底撮像用の光学系であって、前記対物光学系を共通とする前記眼底撮像用の光学系と、を備える眼科撮影装置の制御方法であって、
前記ＯＣＴ光学系に関する自動フォーカス調整における粗調整の後に前記測定光と参照光との光路長差の自動調整を開始させる工程と、
前記ＯＣＴ光学系に関する自動フォーカス調整における微調整と前記光路長差の自動調整とを並行して実行中に、前記眼底撮像用の光学系に関する自動フォーカス調整の後に取得された異なる時間における前記被検眼の複数の眼底画像に基づいて前記走査手段を制御する工程と、
を含む眼科撮影装置の制御方法。
【請求項１４】
ＯＣＴ光学系を用いて被検眼の断層画像を形成する工程と、
前記ＯＣＴ光学系に関する第１の動作である自動フォーカス調整が完了する前に、前記第１の動作の途中において前記ＯＣＴ光学系に関する第２の動作である測定光と参照光との光路長差の自動調整を開始させ、前記第１の動作と前記第２の動作とを並行して実行させる工程と、
を含む眼科撮影装置の制御方法。
【請求項１５】
請求項１３又は１４に記載の眼科撮影装置の制御方法をコンピュータに実行させるプログラム。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
開閉可能な前枠と、
遊技球が入球可能な始動口と、
識別情報を表示可能な識別情報表示部と、
設定キースイッチと、
ＲＡＭクリアボタンと、
遊技の進行を制御する主遊技部と
を備え、
主遊技部は、
遊技者にとっての有利度を定める設定値を設定する設定値制御手段
を有し、
設定キースイッチがオンであり且つＲＡＭクリアボタンがオフである状態を維持したまま新たに電源を投入すると、設定値を確認可能な設定確認モードに移行可能であり、
前記設定確認モード中は、前記前枠の開閉状況に関わらず、設定キースイッチをオンからオフにした場合、前記設定確認モードを終了可能に構成されている
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
開閉可能な前枠と、
遊技球が入球可能な始動口と、
識別情報を表示可能な識別情報表示部と、
設定キースイッチと、
ＲＡＭクリアボタンと、
遊技の進行を制御する主遊技部と
を備え、
主遊技部は、
遊技者にとっての有利度を定める設定値を設定する設定値制御手段
を有し、
設定キースイッチがオンであり且つＲＡＭクリアボタンがオフである状態を維持したまま新たに電源を投入すると、設定値を確認可能な設定確認モードに移行可能であり、
前記設定確認モード中は、前記前枠の開閉状況に関わらず、設定キースイッチをオンからオフにした場合、前記設定確認モードを終了可能に構成されている
ことを特徴とするぱちんこ遊技機である。
＜付記＞
尚、本態様とは異なる別態様について以下に列記しておくが、これらには何ら限定されることなく実施することが可能である。
本別態様に係るぱちんこ遊技機は、
遊技球が入球可能な始動口と、
識別情報を表示可能な識別情報表示部と、
設定キースイッチと、
ＲＡＭクリアボタンと、
遊技情報を表示する表示装置と、
遊技の進行を制御する主遊技部と、
遊技の進行に合わせて所定の演出を表示する演出表示部と、
演出表示部への演出表示を制御する副遊技部と
を備え、
主遊技部は、
始動口への入球に基づき乱数を取得する乱数取得手段と、
乱数取得手段により乱数が取得された場合、識別情報の変動表示開始条件を充足するまで当該取得された乱数を一時記憶して保留が生起するよう制御する乱数一時記憶手段と、
ある保留に関する識別情報の変動表示開始条件を充足した場合において、当該ある保留を消化して、当該ある保留に係る乱数に基づく当否判定結果に従い、識別情報表示部にて識別情報を変動表示させた後に識別情報の停止識別情報を停止表示するよう制御する識別情報表示制御手段と、
副遊技部側で実行される演出表示に際して必要な遊技情報を副遊技部側へ送信する遊技情報送信手段と、
遊技者にとっての有利度が異なる複数の設定値のうち、いずれかの設定値を定める設定 値制御手段と
を有し、
設定キースイッチがオンであり且つＲＡＭクリアボタンがオンである状態で新たに電源を投入すると、設定値を変更可能な設定変更モードに移行可能であり、
設定キースイッチがオンであり且つＲＡＭクリアボタンがオフである状態で新たに電源を投入すると、設定値を確認可能な設定確認モードに移行可能であり、
副遊技部は、
主遊技部側から送信された遊技情報を受信する遊技情報受信手段
を有し、
遊技情報送信手段は、遊技機への電源投入後の所定のタイミングにて、遊技状態に関する情報である状態情報を副遊技部側に送信し得るよう構成されており、
前記状態情報を複数種類有しており、前記状態情報には優先度が設けられており、
副遊技部側へ送信する条件を満たしている前記状態情報が複数存在する場合には、前記所定のタイミングにて、当該複数の前記状態情報のうち最も優先度の高い状態情報のみを副遊技部側に送信するよう構成されており、
所定の状況において、設定キースイッチがオンであり且つＲＡＭクリアボタンがオンである状態で新たに電源を投入すると、前記表示装置には予め定められた所定情報を表示し、
前記所定の状況において、設定キースイッチがオンであり且つＲＡＭクリアボタンがオフである状態で新たに電源を投入すると、前記表示装置には定められている設定値を表示し、
前記設定変更モード中にて電源断が発生し、その後、設定キースイッチがオンであり且つＲＡＭクリアボタンがオンである状態で新たに電源を投入すると、前記表示装置には予め定められた所定情報を表示し、
前記設定変更モード中にて電源断が発生し、その後、設定キースイッチがオンであり且つＲＡＭクリアボタンがオフである状態で新たに電源を投入すると、前記表示装置には特定情報を表示する
ことを特徴とするぱちんこ遊技機である。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
貸出ユニットと通信可能なスロットマシンであって、
リールと、
ストップボタンと、を備え、
前記貸出ユニットから送信される貸出数に関する情報を受信可能に構成され、
特定期間毎に遊技状態に関する情報を前記貸出ユニットへ送信可能に構成され、
貸出数に関する情報を受信してから前記特定期間よりも短い期間が経過したタイミングであり、且つ、遊技状態に関する情報の送信タイミングとは異なるタイミングで、貸出数に関する情報の応答情報を前記貸出ユニットに送信可能に構成される
ことを特徴とするスロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００１
【補正方法】変更
【補正の内容】
【０００１】
スロットマシンに関する。
【手続補正４】
【補正対象書類名】明細書
【補正対象項目名】０００５
【補正方法】変更
【補正の内容】
【０００５】
本態様に係るスロットマシンは、
貸出ユニットと通信可能なスロットマシンであって、
リールと、
ストップボタンと、を備え、
前記貸出ユニットから送信される貸出数に関する情報を受信可能に構成され、
特定期間毎に遊技状態に関する情報を前記貸出ユニットへ送信可能に構成され、
貸出数に関する情報を受信してから前記特定期間よりも短い期間が経過したタイミングであり、且つ、遊技状態に関する情報の送信タイミングとは異なるタイミングで、貸出数に関する情報の応答情報を前記貸出ユニットに送信可能に構成される
ことを特徴とするスロットマシンである。
＜付記＞
尚、本態様とは異なる別態様について以下に列記しておくが、これらには何ら限定されることなく実施することが可能である。
本別態様に係る遊技機は、
リールと、
ストップスイッチと、
スタートスイッチと、
通番を記憶可能な記憶手段を備えた遊技機において、
スタートスイッチの操作に基づいて、抽選結果を決定可能に構成されており、
遊技機の外部に対して所定の情報を出力可能に構成されており、
所定の情報には、少なくとも通番が含められており、
前記記憶手段に記憶されている値に「１」を加算する特殊加算処理を実行可能とし、
前記記憶手段にＮ（Ｎは、２５５未満の値）が記憶されているときに特殊加算処理を実行した場合は、前記記憶手段に「Ｎ＋１」が記憶され、前記記憶手段にＭ（Ｍは、２５５）が記憶されているときに特殊加算処理を実行した場合には、前記記憶手段に「１」が記憶され、
電源がオフにされた後に電源がオンとなった場合には、前記記憶手段に「０」が記憶される
ことを特徴とする遊技機である。
【手続補正５】
【補正対象書類名】明細書
【補正対象項目名】０００６
【補正方法】変更
【補正の内容】
【０００６】
本態様に係るスロットマシンによれば、スロットマシン外に適切な情報を送信可能であり、且つスロットマシン外に適切な情報を送信するための制御処理を構築することが可能である。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
錠剤の総重量に対し、レボカルニチン（フリー体）を４５〜７５重量％、及び水不溶性の添加剤を２０〜５０重量％含有し、
水不溶性の添加剤として、少なくとも結晶セルロース及び低置換度ヒドロキシプロピルセルロースが含有される、
医薬錠剤。
【請求項２】
錠剤の総重量に対し、レボカルニチン（フリー体）を５０〜６５重量％、及び水不溶性の添加剤を３０〜４６重量％含有する、請求項１に記載の医薬錠剤。
【請求項３】
水不溶性の添加剤として、さらに軽質無水ケイ酸が含有される、
請求項１又は２に記載の医薬錠剤。
【請求項４】
結晶セルロースを１０〜４５重量％、低置換度ヒドロキシプロピルセルロースを５〜２５重量％含有する、請求項１〜３のいずれかに記載の医薬錠剤。
【請求項５】
請求項１〜４のいずれかに記載の医薬錠剤（但し、医薬錠剤を構成するレボカルニチン粉末が、レボカルニチン粉末６０〜９０重量％をナタネ油１０〜４０重量％で被覆した粉末である医薬錠剤、及びカルシウムドベシレートを含有する医薬錠剤は除く）。
【請求項６】
請求項１〜４のいずれかに記載の医薬錠剤（但し、Ｌカルニチン６０〜９０重量部に対してナタネ油を１０〜４０重量部含む医薬錠剤、及びドベシレートを含有する医薬錠剤は除く）。
【請求項７】
請求項１〜４のいずれかに記載の医薬錠剤（但し、Ｌカルニチン６０〜９０重量部に対して融点４０℃以上の油性成分を１０〜４０重量部含む医薬錠剤、及びドベシレートを含有する医薬錠剤は除く）。
【請求項８】
請求項１〜７のいずれかに記載の医薬錠剤の表面にコーティング層を有する、コーティング錠。
【請求項９】
請求項１〜７のいずれかに記載の医薬錠剤を製造する方法であって、
（α）レボカルニチン（フリー体）及び水不溶性の添加剤（ａ）を含有する打錠用顆粒を製造する工程、並びに
（β）得られた打錠用顆粒及び水不溶性の添加剤（ｂ）を混合し圧縮して錠剤を製造する工程（α工程及びβ工程で用いる水不溶性の添加剤（ａ）及び（ｂ）は同一又は異なっていてもよい）
を含む、製造方法。
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
下記構造
【化１】
2020128417.tif 000001
を含む化合物。
【請求項２】
リシンの側鎖アミン基にコンジュゲートして、下記
【化２】
2020128417.tif 000002
を生成している、請求項１に記載の化合物。
【請求項３】
前記リシン残基が、ポリペプチドの一部である、請求項２に記載の化合物。
【請求項４】
前記リシン残基が、前記ポリペプチドのＣ末端残基である、請求項３に記載の化合物。
【請求項５】
ポリペプチドの修飾方法であって、
前記ポリペプチドを、下記構造
【化３】
2020128417.tif 000003
を含む化合物とコンジュゲートすることを含む、方法。
【請求項６】
前記化合物が、リシンの側鎖アミン基とコンジュゲートする、請求項５に記載の方法。
【請求項７】
ポリペプチドの合成方法であって、
前記ポリペプチドに、修飾されたリシン残基を組み込むことを含み、前記修飾されたリシン残基は、下記構造
【化４】
2020128417.tif 000004
を含む、方法。